(57)【要約】【課題】簡素な構造で節水性に優れたトイレ装置及び便器システムを提供する。【解決手段】水を貯留し、前記水を便器に給水する給水口を有するタンクと、前記タンクから前記便器に給水される水の給水量を調節する給水量調節部と、前記給水量調節部の動作を制御する制御部と、を備え、前記制御部は、前記タンクから前記便器に水を給水して前記便器を洗浄する第１の給水動作と、前記タンクから前記便器に水を給水して前記便器に封水を充填する第２の給水動作と、を前記給水調節部に行わせ、前記第１の給水動作に応じて前記第２の給水動作を制御することを特徴とするトイレ装置を提供する。【選択図】図１
2010209551.tif 000002
【特許請求の範囲】
【請求項１】
水を貯留し、前記水を便器に給水する給水口を有するタンクと、
前記タンクから前記便器に給水される水の給水量を調節する給水量調節部と、
前記給水量調節部の動作を制御する制御部と、
を備え、
前記制御部は、
前記タンクから前記便器に水を給水して前記便器を洗浄する第１の給水動作と、
前記タンクから前記便器に水を給水して前記便器に封水を充填する第２の給水動作と、
を前記給水量調節部に行わせ、
前記第１の給水動作に応じて前記第２の給水動作を制御することを特徴とするトイレ装置。
【請求項２】
前記制御部は、前記第１の給水動作に応じて前記第２の給水動作における給水時間を制御することを特徴とする請求項１記載のトイレ装置。
【請求項３】
前記給水量調節部は、前記給水口を開閉する弁を有し、
前記制御部は、前記第１の給水動作に応じて前記第２の給水動作における前記弁の開度を制御することを特徴とする請求項１または２に記載のトイレ装置。
【請求項４】
前記給水量調節部は、前記給水口の開口面積を調節する機構を有し、
前記制御部は、前記第１の給水動作における給水量に応じて前記第２の給水動作における前記開口面積を制御することを特徴とする請求項１〜３のいずれか１つに記載のトイレ装置。
【請求項５】
前記給水量調節部は、
前記給水口の少なくとも一部を開閉する第１の弁と、
前記給水口の少なくとも一部を開閉する第２の弁と、
を有し、
前記制御部は、前記第１の弁を開いて前記第１の給水動作を行わせ、その後前記第２の弁を開いて前記第２の給水動作を行わせることを特徴とする請求項１〜４のいずれか１つに記載のトイレ装置。
【請求項６】
前記第２の弁は、前記第１の弁の上に設けられ、
前記第１及び第２の弁が閉じた状態から前記第１の弁を開くと、前記第２の弁が押動して、前記給水口に相対的に大きい第１の開口が形成され、
前記第１及び第２の弁が閉じた状態から前記第２の弁を開くと、前記第１の弁は閉じたまま前記第２の弁のみが開き、前記給水口に相対的に小さい第２の開口が形成されることを特徴とする請求項５記載のトイレ装置。
【請求項７】
前記便器は、
リム孔と、
ジェット孔と、
前記給水口と前記リム孔と前記ジェット孔とに連通する給水流路と、
を有し、
前記制御部は、前記第２の給水動作において前記給水流路に存在する空気が前記ジェット孔から排出されないように給水させることを特徴とする請求項１〜６のいずれか１つに記載のトイレ装置。
【請求項８】
前記第２の給水動作における流量は、前記第１の給水動作における流量よりも小さいことを特徴とする請求項１〜７のいずれか１つに記載のトイレ装置。
【請求項９】
前記第２の給水動作における給水時間は、前記第１の給水動作における給水時間よりも長いことを特徴とする請求項１〜８のいずれか１つに記載のトイレ装置。
【請求項１０】
請求項１〜９のいずれか１つに記載のトイレ装置と、
前記便器と、
を備えたことを特徴とする便器システム。
【発明の詳細な説明】
【技術分野】
【０００１】
本発明は、トイレ装置及び便器システムに関し、より詳細には、水洗便器に流す洗浄水を貯留するタンクを備えたトイレ装置及び便器システムに関する。
【背景技術】
【０００２】
便器に洗浄水を流した後に、便器にトイレ空間と下水空間とを遮断する封水を供給するタンク式便器がある。この洗浄水の量は、例えば大洗浄用及び小洗浄用などのために複数の値をとることがあり、これにより節水を図っている。また、封水については、これまで、タンクへの給水流路を分岐してオーバーフロー管を設け、このオーバーフロー管から補給水（封水）を供給する技術が開示されている（例えば、特許文献１）。
【０００３】
ここで、かかる構成のタンク装置では、洗浄水の量の多少に関係なく封水形成用に必要な水量が同等であるにもかかわらず、洗浄水の量が異なると封水形成用に補給される水の量が異なることがある。この結果、封水形成用に不要な水が供給され、無駄水が生じることがある。
【０００４】
この課題に対して、タンクに水を供給する第一吐水口からの吐出量とタンク内のオーバーフロー管に水を供給する第二吐水口からの吐出量との配分を、大洗浄と小洗浄とで異なる配分とし、これにより大洗浄、小洗浄のいずれの場合にも、便器内の溜水（封水）を元の水量まで回復させる技術が提案されている（特許文献２）。これにより、水の無駄を防止することができるとしている。
【先行技術文献】
【特許文献】
【０００５】
【特許文献１】特開２００６−２８３３５５号公報
【特許文献２】特開２００１−２７９７６１号公報
【発明の概要】
【発明が解決しようとする課題】
【０００６】
本発明は、簡素な構造で節水性に優れたトイレ装置及び便器システムを提供する。
【課題を解決するための手段】
【０００７】
本発明の一態様によれば、水を貯留し、前記水を便器に給水する給水口を有するタンクと、前記タンクから前記便器に給水される水の給水量を調節する給水量調節部と、前記給水量調節部の動作を制御する制御部と、を備え、前記制御部は、前記タンクから前記便器に水を給水して前記便器を洗浄する第１の給水動作と、前記タンクから前記便器に水を給水して前記便器に封水を充填する第２の給水動作と、を前記給水量調節部に行わせ、前記第１の給水動作に応じて前記第２の給水動作を制御することを特徴とするトイレ装置が提供される。
【発明の効果】
【０００８】
本発明によれば、簡素な構造で節水性に優れたトイレ装置及び便器システムが提供される。
【図面の簡単な説明】
【０００９】
【図１】本発明の実施形態に係るトイレ装置を例示する模式斜視断面図である。
【図２】本実施形態の制御を例示するブロック図である。
【図３】本実施形態に係るトイレ装置１と、タンク２から給水された水により洗浄される便器１００と、を備えた便器システムを例示する模式斜視図である。
【図４】駆動部Ｄの動作を例示する模式側面図である。
【図５】本実施形態に係るトイレ装置１と対比される比較例に係るトイレ装置を表した模式断面図である。
【図６】制御部Ｃの制御態様を例示する模式グラフ図である。
【図７】制御部Ｃの制御態様を例示する模式グラフ図である。
【図８】本実施形態の他の構成に係るトイレ装置１Ｂを例示する模式断面図である。
【図９】トイレ装置１Ｂを用いた場合の制御部Ｃの制御態様を例示する模式グラフ図である。
【図１０】本実施形態のさらに別の構成に係るトイレ装置１Ｃを例示する模式断面図である。
【図１１】トイレ装置１Ｃと、便器１００と、を備えた便器システムを例示する模式図である。
【図１２】給水口３の構成を例示する模式平面図である。
【図１３】トイレ装置１Ｃを用いた場合の制御部Ｃの制御態様を例示する模式グラフ図である。
【図１４】トイレ装置１Ｃを用いた場合の制御部Ｃの制御態様を例示する模式グラフ図である。
【図１５】本実施形態のさらに別の構成に係るトイレ装置１Ｄを例示する模式斜視断面図である。
【図１６】トイレ装置１Ｄの給水口３及び給水量調節部４を例示する、図１５のＺＹ平面での模式断面図である。
【図１７】回転体５、紐状体６ａ、６ｂ、及び弁４１ａ、４１ｂの動作を例示する模式断面図である。
【図１８】リフィル時の空気押し出しによる音の発生を抑制する制御態様について説明するための模式断面図である。
【図１９】リフィル量を制御する他の方法を例示する模式断面図である。
【図２０】リフィル量を制御するさらに別の方法を例示する模式断面図である。
【図２１】リフィル量を制御するさらに別の方法を例示する模式断面図である。
【図２２】リフィル量を制御するさらに別の方法を例示する模式断面図である。
【図２３】リフィル量を制御するさらに別の方法を例示する模式断面図である。
【図２４】リフィル量を制御するさらに別の方法を例示する模式断面図である。
【図２５】リフィル量を制御するさらに別の方法を例示する模式断面図である。
【図２６】リフィル量を制御するさらに別の方法を例示する模式断面図である。
【図２７】回転体５を例示する模式断面図である。
【発明を実施するための形態】
【００１０】
第１の発明は、水を貯留し、前記水を便器に給水する給水口を有するタンクと、前記タンクから前記便器に給水される水の給水量を調節する給水量調節部と、前記給水量調節部の動作を制御する制御部と、を備え、前記制御部は、前記タンクから前記便器に水を給水して前記便器を洗浄する第１の給水動作と、前記タンクから前記便器に水を給水して前記便器に封水を充填する第２の給水動作と、を前記給水量調節部に行わせ、前記第１の給水動作に応じて前記第２の給水動作を制御することを特徴とするトイレ装置である。  
このトイレ装置によれば、簡素な構造で節水性に優れたトイレ装置が提供される。
【００１１】
第２の発明は、第１の発明において、前記制御部は、前記第１の給水動作に応じて前記第２の給水動作における給水時間を制御することを特徴とするトイレ装置である。  
このトイレ装置によれば、簡単な制御で封水形成に係る給水量の調節ができる。
【００１２】
第３の発明は、第１または第２の発明において、前記給水量調節部は、前記給水口を開閉する弁を有し、前記制御部は、前記第１の給水動作に応じて前記第２の給水動作における前記弁の開度を制御することを特徴とするトイレ装置である。  
このトイレ装置によれば、洗浄モードに関係なく速やかに封水を充填することができる。
【００１３】
第４の発明は、第１〜第３のいずれか１つの発明において、前記給水量調節部は、前記給水口の開口面積を調節する機構を有し、前記制御部は、前記第１の給水動作における給水量に応じて前記第２の給水動作における前記開口面積を制御することを特徴とするトイレ装置である。  
このトイレ装置によれば、簡素な構造で洗浄モードに関係なく速やかに封水を充填することができる。
【００１４】
第５の発明は、第１〜第４のいずれか１つの発明において、前記給水量調節部は、前記給水口の少なくとも一部を開閉する第１の弁と、前記給水口の少なくとも一部を開閉する第２の弁と、を有し、前記制御部は、前記第１の弁を開いて前記第１の給水動作を行わせ、その後前記第２の弁を開いて前記第２の給水動作を行わせることを特徴とするトイレ装置である。  
このトイレ装置によれば、例えば洗浄専用の弁と封水形成専用の弁とを設けるなどにより、精度よく効果的に洗浄及び封水形成の二種類の給水動作を行うことができる。
【００１５】
第６の発明は、第５の発明において、前記第２の弁は、前記第１の弁の上に設けられ、前記第１及び第２の弁が閉じた状態から前記第１の弁を開くと、前記第２の弁が押動して、前記給水口に相対的に大きい第１の開口が形成され、前記第１及び第２の弁が閉じた状態から前記第２の弁を開くと、前記第１の弁は閉じたまま前記第２の弁のみが開き、前記給水口には相対的に小さい第２の開口が形成されることを特徴とするトイレ装置である。
このトイレ装置によれば、タンクのサイズが小さい場合にも２つの弁を設けることができ、精度よく効果的に洗浄及び封水形成の二種類の給水動作を行うことができる。
【００１６】
第７の発明は、第１〜第６のいずれか１つの発明において、前記便器は、リム孔と、ジェット孔と、前記給水口と前記リム孔と前記ジェット孔とに連通する給水流路と、を有し、前記制御部は、前記第２の給水動作において前記給水流路に存在する空気が前記ジェット孔から排出されないように給水させることを特徴とするトイレ装置である。  
このトイレ装置によれば、封水形成時に便器のジェット孔から空気が押し出されることによる音の発生を抑制することができる。
【００１７】
第８の発明は、第１〜第７のいずれか１つの発明において、前記第２の給水動作における流量は、前記第１の給水動作における流量よりも小さいことを特徴とするトイレ装置である。  
このトイレ装置によれば、瞬間流量を小さくでき、これによりリフィル時（封水形成時）の給水量のばらつきを小さくすることができる。
【００１８】
第９の発明は、第１〜第８のいずれか１つの発明において、前記第２の給水動作における給水時間は、前記第１の給水動作における給水時間よりも長いことを特徴とするトイレ装置である。  
このトイレ装置によれば、瞬間流量を小さくして長い時間をかけて封水を充填することができ、これによりリフィル時（封水形成時）の給水量のばらつきを小さくすることができる。
【００１９】
第１０の発明は、第１〜第９のいずれか１つのトイレ装置と、前記便器と、を備えたことを特徴とする便器システムである。  
この便器システムによれば、簡素な構造で節水性に優れた便器システムが提供される。
【００２０】
以下、図面を参照し、本発明の実施形態について説明する。なお、各図面中、同様の構成要素には同一の符号を付して詳細な説明は適宜省略する。  
図１は、本発明の実施形態に係るトイレ装置を例示する模式斜視断面図である。  
図２は、本実施形態の制御を例示するブロック図である。  
図３は、本実施形態に係るトイレ装置１と、タンク２から給水された水により洗浄される便器１００と、を備えた便器システムを例示する模式斜視図である。  
図４は、駆動部Ｄの動作を例示する模式側面図である。
【００２１】
図１〜図３に表したように、本実施形態に係るトイレ装置１は、水を貯留し、この水を便器１００に給水する給水口３を有するタンク２と、タンク２から便器１００に給水される水の給水量を調節する給水量調節部４と、給水量調節部４の動作を制御する制御部Ｃと、を備える。また、トイレ装置１は、情報取得部Ａと、モータなどの駆動部Ｄと、回転体５と、紐状体６と、を備える。制御部Ｃは、必要に応じ情報取得部Ａが取得した情報を基に、駆動部Ｄ、回転体５、及び紐状体６を介して給水量調節部４の動作を制御する。トイレ装置１は、例えばサイホンジェット式水洗便器など、洗浄後に封水を充填させる任意の便器に適用することができる。
【００２２】
制御部Ｃは、タンク２から便器１００に水を給水して便器１００を洗浄する第１の給水動作と、タンク２から便器１００に水を給水して便器１００に封水を充填する第２の給水動作と、を給水量調節部４に行わせる。便器１００にサイホンジェット式水洗便器を用いた場合には、第１の給水動作においてサイホンを生じさせることができる。また、制御部Ｃは、第１の給水動作を行わせた後、即座に第２の給水動作を行わせることができる。これにより、封水が存在しない時間が短くなり、下水空間から便器１００に異臭や害虫が進入してくる可能性を低減することができる。
【００２３】
本実施形態によれば、制御部Ｃの制御により、弁４１の開度や開放時間をきめ細かく調節することができる。例えば、第１の給水動作（洗浄時）において、弁４１が開状態となる時間は２つ以上の時間、例えば３つの時間から選択される構成にすることができる。これにより、便器に供給される水の量を多段階、例えば大小、大中小（比率としては、例えば６：５：４）など、に設定することができる。また、制御部Ｃの制御により、流量のばらつきが抑制される。このように使用目的に応じてきめ細かく洗浄水の量を設定することにより、必要最小限の水量でタンク２から便器１００に洗浄水を供給することができ、節水性の向上が図られる。特に、小洗浄を行う回数は多いと考えられるところ、この水量を小さくすることにより、節水効果は効果的に高まる。また、流量のばらつきを抑制することができ、節水性を確実に向上することができる。
【００２４】
そして、制御部Ｃは、第１の給水動作に応じて第２の給水動作を制御する。例えば、制御部Ｃは、情報取得部Ａから第１の給水動作における給水量の情報を得て、この給水量に応じて第２の給水動作を制御する。具体的には例えば、第１の給水動作において大洗浄が行われた場合と、小洗浄が行われた場合とで、第２の給水動作において略同等の量の水が給水されるように制御することができる。これにより、後に図５に関して詳細に説明するように無駄水の発生を抑制することができ、簡素な構造で節水性に優れたトイレ装置が提供される。
【００２５】
次に、各構成要素について詳細に説明する。  
タンク２は、図３に表したようにロータンクとすることができる。あるいは、ハイタンクや、便器に洗浄水を流すことのできる他の任意のタンクとしてもよい。
【００２６】
給水量調節部４は、図１などに表したように給水口３を開閉する弁４１を有することができる。図４に表したように、弁４１は蝶番４１ｓを有し、蝶番４１ｓを回転軸として回動することにより給水口３の開閉を行う。あるいは、図示しないが、弁４１は上下方向に移動することにより給水口３を開閉する構成にしてもよい。
【００２７】
弁４１は、次に説明するように、回転体５が回転することにより開閉する。  
図４に表したように、回転体５は回転軸５ｓの回りに回転し、回転軸５ｓ以外の部分に設けられた接続部５１を有する。図４では、接続部５１は回転軸５ｓから突出する突出部５ｐに設けてあるが、突出部５ｐを設けずに回転体５の軸体に直接設けてもよい。接続部５１は、玉鎖、ワイヤーなどの紐状体６を介して弁４１に接続している。
【００２８】
そして、弁４１は、制御部Ｃにより制御される駆動部Ｄの動作により開閉する。駆動部Ｄは、例えばモータ、具体的には、ブラシ付きやブラシレスの直流モータとすることができる。
【００２９】
まず、図４（ａ）の矢印Ｔで示したように、弁４１が閉じた状態において駆動部Ｄは右回りの方向にトルクを出力し、矢印Ｒで示したように駆動部Ｄを右回りに回転させる。すると、回転体５も連動して右回りに回転し、接続部５１は上方に移動する。この結果、紐状体６は緊張状態になり、弁４１は矢印Ｖで示したように上方に引き上げられる。これにより、弁４１は「開」状態となる。
【００３０】
次に、図４（ｂ）の矢印Ｔで示したように、必要に応じ、駆動部Ｄは一定時間右回りの方向にトルクを出力し続ける。このときのトルクは、図４（ａ）で示した弁４１の引き上げ時のトルクよりも小さく、接続部５１を同じ位置に維持するだけの値とすることができる。これにより、接続部５１を一定時間所定の位置に固定し、弁４１の開状態を一定時間維持することができる。
【００３１】
次に、弁４１の閉止動作について説明する。  
弁４１を閉止させるには、例えば図４（ａ）や（ｂ）に表した状態において駆動部Ｄへの電流の供給を停止して駆動部Ｄがトルクを出力しないようにすることができる。これにより、弁４１を上方に引き上げる力がなくなり、弁４１は自重により下方へ移動する。この結果、「閉」状態が実現する。なお、実際にはモータなどの駆動部Ｄのコギングトルクにより弁４１は自由落下しないことがあり得るが、この場合も最終的には弁４１は給水口３を閉止するまで下方に移動し、閉状態が実現する。
【００３２】
あるいは、図４（ｃ）の矢印Ｔで示したように駆動部Ｄが図４（ａ）及び（ｂ）の場合よりも小さい右回りのトルクを出力することができる。これにより、図４（ｃ）の矢印Ｒで示したように駆動部Ｄは左回りに回転する。すると、回転体５も連動して左回りに回転し、接続部５１は下方に移動する。この結果、弁４１は矢印Ｖで示したように下方に移動する。これにより、弁４１は「閉」状態となる。このように駆動部Ｄにトルクを出力させつつ弁４１を閉止させることにより、弁４１の閉止速度を制御することができる。これにより、例えば弁４１の閉止動作を減勢することが可能となり、給水口３を閉鎖するときの衝撃音などを低減することができる。すなわち、静音性が確保される。
【００３３】
弁４１の動作に係る制御部Ｃの制御には、例えば電圧を変化させる手法を用いることができる。まず、弁４１を上方に引き上げて開状態とするときは、弁４１の開放方向（図４（ａ）では、右回りの方向）に例えば２４Ｖの電圧を印加する。次に、弁４１の開状態を一定時間保持するときは、弁４１の開放方向（図４（ｂ）では、右回りの方向）に２４Ｖよりも低い電圧、例えば１５Ｖの電圧を印加する。次に、弁４１を下方に移動させて閉止させるときは、前述したように駆動部Ｄへの電流供給を停止して弁４１の自重により弁４１を閉止させることができる。あるいは、弁４１の開放方向（図４（ｃ）では、右回りの方向）に例えば３Ｖの電圧を印加することができる。あるいは、制御を簡便にするため、例えば２４Ｖから電圧を低下させずに電圧を一定値に保持する構成にしてもよい。
【００３４】
また、弁４１の開度については駆動部Ｄの出力トルクの値により制御することができ、開状態・閉状態の持続時間については出力トルクが開状態・閉状態に対応する値となっている状態の持続時間により制御することができる。
【００３５】
電圧を変化させるには、例えばパルス幅変調（Pulse Width Modulation：ＰＷＭ）を用いて所望の電圧が印加されるように電力を調節する構成にすることができる。また、それぞれの電圧を印加するための電源をそれぞれ設け、弁４１の動作に応じてこれらを切り替える構成にしてもよい。
【００３６】
なお、モータなどの駆動部Ｄへの電流供給を停止して弁４１の自重により接続部５１を下方に移動させ、駆動部Ｄを左回りに回転させると、駆動部Ｄにコギングトルクが働くことがある。これにより、駆動部Ｄ及び回転体５が円滑に左回り方向に回転せず、弁４１の閉止動作が円滑に行われないことがある。このため、閉止動作を円滑にするために、駆動部Ｄには図示しないリターンスプリングを設けることができる。リターンスプリングとは、電流が流れていないときにおいて弁４１が閉止状態に戻るように付勢するためのばねであり、左回りの方向にトルクがかかるようにするばねである。
【００３７】
次に、図１及び図２に戻って説明する。  
図１及び図２に表したように、トイレ装置１は、情報取得部Ａをさらに備えてもよい。情報取得部Ａは、第１の給水動作における弁４１の開度や開状態の持続時間を検出する構成にすることができる。これにより、第１の動作において大洗浄、中洗浄、及び小洗浄のいずれが行われたかが把握される。そして、制御部Ｃは、第１の給水動作において情報取得部Ａで検出された弁４１の開度や開状態の持続時間に応じて、第２の給水動作において駆動部Ｄの動作を制御することができる。
【００３８】
弁４１の開度や開状態の持続時間は、弁４１の位置や弁４１が開状態の位置に存在している時間を検出することにより取得することができる。弁４１の位置は、例えば駆動部Ｄに付設されたエンコーダにより検出することができる。
【００３９】
すなわち、駆動部Ｄ（モータ）の角速度から回転体５の軸体の角速度を検出する。これにより、接続部５１の位置を検出する。接続部５１の位置と弁４１の位置とは、弁４１が開状態にあるときを含め紐状体６が緊張状態にあるときには連動する。これにより、紐状体６が緊張状態にあるときの弁４１の位置を検出することができる。より詳細には、まずエンコーダによりパルスを発振させる。そして、制御回路は、パルスの発振周波数を検知することで駆動部Ｄ（モータ）の回転数を算出する。これにより、弁４１の位置を算出する。すなわち、駆動部Ｄの回転数及び接続部５１の回転半径から、接続部５１の移動距離を算出する。これは、弁４１の移動距離と同じ値となる。そして、初期における弁４１の位置にこの移動距離を加えることにより、弁４１の位置を算出する。あるいは、弁４１の移動距離のみを基に弁４１が開状態にあるか否かを判断する構成にしてもよい。
【００４０】
また、弁４１が開状態となっている等の時間については、実時間時計（ＲＴＣ）やストップウォッチなどを用い、弁４１の位置とこれら時計で測定される時間または時刻とを関連付けることにより検出することができる。
【００４１】
このようにして、第１の給水動作における弁４１の開度や開状態の持続時間が取得される。これにより、第１の給水動作における洗浄モード（大洗浄、中洗浄、小洗浄など）が把握される。  
そして、制御部Ｃは、情報取得部Ａが取得した第１の給水動作における給水量の情報、例えば第１の給水動作における弁４１の開度及び／または開状態の持続時間、に応じて第２の給水動作を制御する。
【００４２】
なお、トイレ装置１は、便器１００への水の供給の必要性及び水の供給態様を決める情報（以下、「水供給情報」という）を取得する水供給情報取得手段Ａ２（図示せず）をさらに備えてもよい。この場合、制御部Ｃは、水供給情報取得手段Ａ２が取得したこれら情報を用いて、駆動部Ｄに指示を行うことができる。
【００４３】
水供給情報取得手段Ａ２は、水供給情報の基となる第１の原情報を検知する検知手段を有することができる。第１の原情報は、例えば利用者の着座時間である。  
また、水供給情報取得手段Ａ２は、利用者が水供給情報の基となる第２の原情報を入力する入力手段を有してもよい。入力手段は、便器や壁などに付設することができ、あるいはリモコンの形態を有することができる。利用者は、入力手段のボタンを押すなどにより、便器への水の供給態様を選択することができる。
【００４４】
検知手段と入力手段とを併有した場合、水供給情報取得手段Ａ２は、第１及び第２の原情報を用いて水供給情報を取得することができる。この場合、第１の原情報と第２の原情報との間で齟齬が生じる場合には、第２の原情報を優先するように構成することができる。例えば、第１の原情報（検知情報）によれば便器に供給する洗浄水の量は多くすべきと判断される一方、第２の原情報（入力情報）によれば便器に供給すべき洗浄水の量は少なくてよいと判断される場合には、第２の原情報に基づいて水供給情報を取得することができる。これにより、制御部Ｃはこの水供給情報を基に、駆動部Ｄに対し適切な指示を行うことができる。この結果、適切な水量で水が供給される。  
なお、水供給情報取得手段Ａ２、検知手段、及び／または入力手段が制御部Ｃを遠隔操作する構成にしてもよい。
【００４５】
次に、本実施形態の効果について説明する。  
図５は、本実施形態に係るトイレ装置１と対比される比較例に係るトイレ装置を表した模式断面図である。このトイレ装置２００は、例えばサイホンジェット式水洗便器に用いられる。
【００４６】
図５に表したように、比較例に係るトイレ装置２００は、ボールタップにより分岐された２つの給水路を有する（タンク給水路２０１及びリフィル給水路２０２）。タンク給水路２０１には、タンクに供給する水が流れる。一方リフィル給水路２０２には、便器のリフィルに用いられる水が流れる。「リフィル」とは、便器の封水を形成するための水を便器に供給することである。すなわち、リフィル用の水は、タンクを経由せずに、直接水道管などから供給される。
【００４７】
かかる構成において、タンクから便器へ洗浄水を流して便器の洗浄を行った場合、タンクへ水を補充するために、ボールタップの浮玉（図示せず）及びオーバーフロー管の機能によりタンク内に適量の水が供給される。以下、洗浄水の量が少量であるときには補充に係るタンク給水に６０秒要し、多量であるときには７５秒要する場合を例に取り上げて説明する。
【００４８】
ここで、一般に、リフィルに係る流量は、洗浄水が少量であるときのタンク給水に要する時間だけ経過すれば十全に封水が形成されるように設定される。この設定は、流路抵抗を調節することにより行われる。このように設定することにより、洗浄水が少量である場合も多量である場合も、換言すればタンク給水時間が短い場合も長い場合も、封水が十全に形成される。このため、本事例では、タンク給水が６０秒間なされれば、リフィルは十全になされるように構成されていると仮定する。
【００４９】
なお、リフィルに要する水量は、通常は洗浄水の量に関係なく一定である。洗浄水の量に関係なく、サイホン現象によりボウル内の水はほぼ全て排出され、洗浄後のボウル面の水量は同等になるからである。
【００５０】
図５（ａ）に表したように、洗浄水が少量である場合には、タンク給水に６０秒要することから、タンク給水路２０１には６０秒間水が流れる。この時、同時にリフィル給水路２０２にも６０秒間水が流れる。これにより、便器の封水が適切に形成される。
【００５１】
一方、図５（ｂ）に表したように、洗浄水が多量である場合には、タンク給水に７５秒要することから、タンク給水路２０１には７５秒間水が流れる。この時、同時にリフィル給水路２０２にも７５秒間水が流れる。この場合も、便器の封水は十全に形成される。しかし、６０秒間給水された時点で既に封水は適切に形成されていることから、残余の１５秒の間に流れた水は無駄に供給されたことになる。  
このように、比較例においては、タンクからの給水量に差があると無駄水が生じ、給水量の差が大きくなると無駄水は増加する。
【００５２】
これに対し、本実施形態に係るトイレ装置１では、封水形成のために供給される水（リフィル水）の量は、サイホン洗浄等の第１の給水動作における給水量に応じて制御部Ｃにより制御される。すなわち、制御部Ｃは、第１の給水動作において大洗浄、中洗浄、及び小洗浄のいずれが行われたか、に応じて、図６などに関して後述する態様で第２の給水動作において給水時間や弁４１の開度を制御する。これにより、第２の給水動作において封水形成のための水を適切な量で供給することができる。従って、複数の洗浄モードに対して良好な精度でリフィル水の量を調整することができ、上述した封水形成時の無駄水に係る問題が解消される。このため、節水性の向上が図られる。また、これを簡素な構造により実現することができる。このため、費用の抑制や装置の信頼性向上が図られる。
【００５３】
このように、本実施形態によれば、複数の洗浄モードに対して、簡素な構造で無駄水なくリフィル水の供給を行い、節水性に優れたトイレ装置が提供される。本実施形態は、第１の給水動作、すなわち洗浄動作、においてサイホンを生じさせるサイホン式便器装置や、いわゆる「回動式トラップ方式」のようにトラップを可動式にして便器内の水を排出させる便器装置など、洗浄後に便器に封水を充填させる任意の便器装置に適用することができる。
【００５４】
次に、制御部Ｃの制御態様について、図６及び図７を参照しつつ説明する。  
図６及び図７は、制御部Ｃの制御態様を例示する模式グラフ図である。横軸は時間を表し、縦軸は弁４１の開度を表している。また、図６（ａ）及び図７（ａ）は小洗浄時の、図６（ｂ）及び図７（ｂ）は中洗浄時の、図６（ｃ）及び図７（ｃ）は大洗浄時の制御態様を表している。
【００５５】
まず、図６に表したように、制御部Ｃが、第１の給水動作に応じて、例えば、第１の給水動作における給水量に応じて、第２の給水動作において給水時間を制御する構成にすることができる。  
図６（ａ）に表したように、洗浄水の量が少ない小洗浄の場合には、タンク２から排出される水の量が少ないことから、洗浄終了時においてタンク２内の水位が相対的に高く、給水口３周辺にかかる水圧は相対的に高い。このため、第２の給水動作において弁４１を開いて給水口３から給水するとき、ベルヌーイの定理により相対的に高い流速で給水口３から水が給水される。このため、小洗浄の場合は、制御部Ｃは第２の給水動作において相対的に短い時間だけ給水させることができる。
【００５６】
また、図６（ｂ）に表したように、洗浄水の量が中程度の中洗浄の場合には、洗浄終了時においてタンク２内の水位が小洗浄の場合よりも低く、給水口３周辺にかかる水圧は小洗浄の場合よりも低い。このため、第２の給水動作において弁４１を開いて給水口３から給水するとき、小洗浄の場合よりも低い流速で給水口３から水が給水される。このため、中洗浄の場合は、制御部Ｃは第２の給水動作において小洗浄の場合よりも長い時間給水させることができる。
【００５７】
また、図６（ｃ）に表したように、洗浄水の量が多い大洗浄の場合には、同様の論拠により中洗浄の場合よりもさらに長い時間給水させることができる。  
これらにより、小洗浄、中洗浄、及び大洗浄のいずれの場合においても封水形成用に適切な量の水を供給することができる。例えば、それぞれの場合において封水形成用に略同等の量の水を供給することができる。この構成によれば、リフィル時の弁４１の開度は洗浄モード間で略同じ値とすることができ、簡単な制御で給水量を調節することができる。
【００５８】
また、図７に表したように、制御部Ｃが、第１の給水動作に応じて、例えば、第１の給水動作における給水量に応じて、第２の給水動作において弁４１の開度を制御する構成にしてもよい。  
図７（ａ）に表したように、小洗浄の場合には、図６（ａ）に関して前述したように第１の給水動作が終了した時点でタンク２内の水位は相対的に高い。このため、第２の給水動作において給水するとき、相対的に高い流速で給水口３から給水される。従って、小洗浄の場合は、制御部Ｃは第２の給水動作において弁４１の開度を相対的に小さくして給水させることができる。
【００５９】
また、図７（ｂ）に表したように、中洗浄の場合には、第１の給水動作が終了した時点でタンク２内の水位は小洗浄の場合よりも低い。このため、第２の給水動作において給水するとき、小洗浄の場合よりも低い流速で給水口３から給水される。従って、中洗浄の場合は、制御部Ｃは第２の給水動作において小洗浄の場合よりも弁４１の開度を大きくして給水させることができる。
【００６０】
また、図７（ｃ）に表したように、大洗浄の場合には、同様の論拠により中洗浄の場合よりもさらに大きな開度で給水させることができる。  
これらにより、小洗浄、中洗浄、及び大洗浄のいずれの場合においても封水形成用に適切な量の水を供給することができる。例えば、それぞれの場合において水の流量を略同等とし、封水形成用に略同等の量の水を供給することができる。なお、水の「流量」とは、単位時間当たりに移動する水の量である。この構成によれば、リフィル時の給水時間は洗浄モード間で略同じ値とすることができ、洗浄モードに関係なく速やかにリフィルを行うことができる。
【００６１】
ここで、封水形成に係る給水量の値を具体的に制御する方法の一例について説明する。この説明において、「流量Ｑ」、「流速Ｖ」、「流路断面積Ｓ」、及び「給水時間Ｔ」は、特に断りのない限り第２の給水動作（リフィル）時の給水口３におけるそれぞれの値をいうものとする。以下、リフィル時において流路断面積Ｓが一定であり、リフィル時におけるタンク２内の水位の変化及び給水口３での流速Ｖの変化が無視できる程度のものである場合について説明する。この場合、流路断面積Ｓは弁４１の開度から求めることができ、流速Ｖはトリチェリの定理を用いてタンク２内の水位から求めることができる。
【００６２】
一般に、給水量は、流量Ｑを給水時間Ｔに対して積分した値である。ここで、流量Ｑは、本具体例では上記前提条件から流速Ｖ及び流路断面積Ｓが一定であるため、「流量Ｑ＝流速Ｖ×流路断面積Ｓ」になる。従って、「給水量＝流量Ｑ×給水時間Ｔ＝流速Ｖ×流路断面積Ｓ×給水時間Ｔ」となる。
【００６３】
また、第１の給水動作（洗浄）が終了した時点でのタンク２内の水位は、各洗浄モードに固有の値である。このため、第２の給水動作（リフィル）時の流速Ｖは、各洗浄モードに固有の値となる。また、リフィル時の流路断面積Ｓは、各洗浄モードに固有の値とすることができ、また洗浄モード間で等しい値とすることもできる。これらから、流量Ｑは、各洗浄モードに固有の一定値になる。  
以上を基に、図６及び図７に関して前述した制御態様について給水量の値を制御する方法について説明する。
【００６４】
まず、図６に関して前述した給水時間を調節する構成を用いた場合について説明する。前述したように、流量Ｑは各洗浄モードに固有の一定値となり、これら一定値はタンク２内の水位と弁４１の開度とから求めることができる。小洗浄、中洗浄、及び大洗浄のそれぞれの流量を、Ｑ１、Ｑ２、及びＱ３とする。  
そして、これら一定値を用いて給水量、すなわち「流量Ｑ×給水時間Ｔ」が所望の値となるように、各洗浄モードにおける給水時間Ｔ（小洗浄、中洗浄、及び大洗浄のそれぞれの給水時間Ｔ１、Ｔ２、及びＴ３）を適宜設定することができる。例えば、給水量が洗浄モード間で略等しくなるようにするためには、Ｑ１・Ｔ１＝Ｑ２・Ｔ２＝Ｑ３・Ｔ３（＝適切なリフィル量）となるように、Ｔ１、Ｔ２、及びＴ３を設定することができる。
【００６５】
次に、図７に関して前述した弁４１の開度を調節する構成を用いた場合について説明する。前述したように、流速Ｖは各洗浄モードに固有の一定値となり、これら一定値はタンク２内の水位から求めることができる。小洗浄、中洗浄、及び大洗浄のそれぞれの流速を、Ｖ１、Ｖ２、及びＶ３とする。また、給水時間Ｔは、洗浄モードに関係なく一定の値「Ｔ０」であると仮定する。これにより、前述したように洗浄モードに関係なく速やかにリフィルを行うことができる。
【００６６】
そして、これら一定値を用いて給水量、すなわち「流速Ｖ×流路断面積Ｓ×給水時間Ｔ」が所望の値となるように、各洗浄モードにおける流路断面積Ｓ（小洗浄、中洗浄、及び大洗浄のそれぞれの流路断面積Ｓ１、Ｓ２、及びＳ３）、より詳細には弁４１の開度、を適宜設定することができる。例えば、給水量が洗浄モード間で略等しくなるようにするためには、Ｖ１・Ｓ１・Ｔ０＝Ｖ２・Ｓ２・Ｔ０＝Ｖ３・Ｓ３・Ｔ０（＝適切なリフィル量）となるように、Ｓ１、Ｓ２、及びＳ３を設定することができる。これら値から、各洗浄モードにおける弁４１の開度を設定することができる。  
以上のようにして、封水形成に係る給水量を制御することができる。
【００６７】
なお、後述する他の具体例を含め、本実施形態において洗浄モードは、大中小の３パターン以外のパターンを用いてもよい。また、リフィル量、すなわち封水形成のための給水量は、各洗浄モードにおいて略等しい値とすることができ、あるいは洗浄終了時の便器内の水量などに応じて異ならせてもよい（小洗浄＜中洗浄＜大洗浄、または小洗浄＞中洗浄＞大洗浄、など）。
【００６８】
次に、本実施形態の他の構成について、図８及び図９を参照しつつ説明する。  
図８は、本実施形態の他の構成に係るトイレ装置１Ｂを例示する模式断面図である。  
図８に表したように、トイレ装置１Ｂの給水量調節部４は、給水口３の開口面積を調節する機構（図では、シャッター４２）を有する。シャッター４２は駆動部Ｄを介して制御部Ｃと接続しており、その動作は制御部Ｃによって制御される。
【００６９】
この場合、図８（ａ）に表したように給水量調節部４が弁４１を有さない構成でもよく、図８（ｂ）に表したように弁４１とシャッター４２とを併有する構成でもよい。なお、図８（ｂ）において、弁４１と接続する紐状体６及び回転体５については省略した。弁４１をさらに設けることにより、シャッター４２にかかる水圧を低減することができ、これによりシャッター４２の劣化・損傷を抑制することができる。すなわち、制御部Ｃがまず弁４１を閉じた状態でシャッター４２を開閉させ、次に弁４１を開く動作を行わせることにより、シャッター４２の開閉時にはシャッター４２に水圧がかからないようにすることができる。これにより、シャッター４２が開閉するときにシャッター４２とシャッター受け４２ｒとの間の摩擦などを低減することができ、シャッター４２の劣化・損傷を抑制することができる。  
なお、図示しないが、トイレ装置１Ｂ及び後述する他の具体例において、情報取得部Ａをさらに設けてもよい。
【００７０】
本具体例において、制御部Ｃは、駆動部Ｄを介してシャッター４２（及び、必要に応じ弁４１）を開き、第１の給水動作を行わせ、その後第２の給水動作を行わせる。ここで、制御部Ｃは、第１の給水動作における給水量に応じて、第２の給水動作において給水口３の開口面積を制御する。また、図８（ｂ）に表した例では、弁４１の開度をさらに制御することができる。図１並びに図８（ａ）及び（ｂ）に係る例について上位概念的に表現すれば、制御部Ｃは、第１の給水動作における給水量に応じて、第２の給水動作において給水口３における水の流路断面積を制御する。これにより、簡素な構造で大洗浄、中洗浄、小洗浄などの複数の洗浄モードに対してリフィル水の量を調節することができ、無駄水なくリフィル水を供給することができる。
【００７１】
図９は、トイレ装置１Ｂを用いた場合の制御部Ｃの制御態様を例示する模式グラフ図である。横軸は時間を表し、縦軸は給水口３における給水流路の断面積を表している。より詳細には、図８（ａ）に表したトイレ装置１Ｂを用いた場合には給水口３の開口面積を表し、図８（ｂ）に表したトイレ装置１Ｂを用いた場合には、給水口３の開口面積と弁４１の開度とから導かれる給水口３における給水流路の断面積を表している。
【００７２】
各洗浄モードにおいて、図７に関して前述した要領で制御部Ｃは給水口３における給水流路の断面積を制御する。  
すなわち、図９（ａ）に表したように、小洗浄の場合には、第１の給水動作が終了した時点でタンク２内の水位は相対的に高い。このため、第２の給水動作において給水するとき、相対的に大きな流速で給水される。従って、小洗浄の場合は、制御部Ｃは第２の給水動作において流路断面積を相対的に小さくして給水させることができる。
【００７３】
また、図９（ｂ）に表したように、中洗浄の場合には、第１の給水動作が終了した時点でタンク２内の水位はより低くなるため、制御部Ｃは第２の給水動作において流路断面積をより大きくして給水させることができる。  
また、図９（ｃ）に表したように、大洗浄の場合には流路断面積をさらに大きくして給水させることができる。
【００７４】
次に、本実施形態のさらに別の構成について、図１０〜図１４を参照しつつ説明する。
図１０は、本実施形態のさらに別の構成に係るトイレ装置１Ｃを例示する模式断面図である。  
図１１は、トイレ装置１Ｃと、便器１００と、を備えた便器システムを例示する模式図である。図１１（ａ）はこの便器システムを例示する模式平面図であり、図１１（ｂ）は図１１（ａ）のＣ−Ｃ’線断面図である。図１１に表した便器１００は、サイホンジェット式の水洗便器である。また、図１１において、便器１００以外の部分については構成要素を一部省略した。  
図１２は、給水口３の構成を例示する模式平面図である。
【００７５】
図１０〜図１２に表したように、トイレ装置１Ｃの給水量調節部４は、給水口３の少なくとも一部を開閉する第１の弁４１ａと、給水口３の少なくとも一部を開閉する第２の弁４１ｂと、を有する。これら図では、第１の弁４１ａは給水口３の一部を開閉し、第２の弁４１ｂは給水口３の他の一部を開閉する。
【００７６】
図１０、図１１、及び図１２（ａ）に表したように、給水口３は２つの給水口３ａ、３ｂとすることができる。すなわち、トイレ装置１Ｃのタンク２は、タンク２に貯留された水を便器に給水する２つの給水口（第１の給水口３ａ及び第２の給水口３ｂ）を有し、第１の弁４１ａ及び第２の弁４１ｂはそれぞれ第１の給水口３ａ及び第２の給水口３ｂを開閉する。また、図１０（ｂ）では、後述するように第１の弁４１ａが開状態のときは第２の弁４１ｂも開状態となる。
【００７７】
また、図１２（ｂ）に表したように、給水口３は１つの給水口としてもよい。この場合、第１の弁４１ａは１つの給水口３の一部の上に設け、第２の弁４１ｂは当該１つの給水口３の他の一部の上に設けることができる。これにより、構造が簡素化され、費用の低減が図られる。
【００７８】
以下、給水口３が２つの給水口３ａ、３ｂである場合（図１０、図１１、及び図１２（ａ））について説明する。  
第１の給水口３ａは相対的に大きい流路断面積を有し、洗浄水を通すことができる。また、第２の給水口３ｂは相対的に小さい流路断面積を有し、リフィル水を通すことができる。また、図１０（ｂ）に表した例では、第１の弁４１ａが開状態のときは第２の弁４１ｂも開状態となるため、第２の給水口３ｂは洗浄水をも通すことができる。
【００７９】
また、第１の給水口３ａは洗浄水のみならずリフィル水をも通す構成にしてもよい。リフィル量を多く必要とする場合などには、流路断面積の大きい第１の給水口３ａを活用することにより、速やかに封水を充填することができる。
【００８０】
回転体５は、第１の接続部５１ａと、第２の接続部５１ｂと、を有する。第１の接続部５１ａ、回転軸５ｓ、及び第２の接続部５１ｂのなす角は、図示したように略１８０度とすることができ、他の角度にしてもよい。
【００８１】
図１０（ａ）に表した例では、第１の弁４１ａ及び第２の弁４１ｂは、それぞれ紐状体６ａ及び６ｂ、並びに接続部５１ａ及び５１ｂを介し、さらに駆動部Ｄを介して制御部Ｃに接続しており、第１及び第２の弁４１ａ、４１ｂの動作は制御部Ｃによって制御される。
【００８２】
そして、制御部Ｃは、第１の弁４１ａを開いて第１の給水動作を行わせ、その後第２の弁４１ｂを開いて第２の給水動作を行わせる。第１の弁４１ａ及び第２の弁４１ｂが閉じた状態で、制御部Ｃの制御を受けて駆動部Ｄにより回転体５が回転すると、第１の弁４１ａ及び第２の弁４１ｂのいずれかが開く。
【００８３】
すなわち、回転体５が左回りの方向に回転すると第１の紐状体６ａは緊張状態になり、第１の弁４１ａが開いて第１の給水動作が実現する。このとき、第２の紐状体６ｂは弛緩状態にあり、第２の弁４１ｂは閉状態にある。また、回転体５が右回りの方向に回転すると第２の紐状体６ｂは緊張状態になり、第２の弁４１ｂが開いて第２の給水動作が実現する（図示した状態）。このとき、第１の紐状体６ａは弛緩状態にあり、第１の弁４１ａは閉状態にある。
【００８４】
また、図１０（ｂ）に表した例では、第２の弁４１ｂは、第１の接続部５１ａに接続した第３の紐状体６ｃとさらに接続している。かかる構成にすることにより、回転体５が左回りの方向に回転すると、第１の紐状体６ａのみならず第３の紐状体６ｃも緊張状態になり、第１の弁４１ａ及び第２の弁４１ｂの両方が開く（図示した状態）。これにより、第１の給水動作が実現する。この場合、第１の給水動作における流量は図１０（ａ）に表したトイレ装置１Ｃを用いた場合よりも大きくなり、より速やかに洗浄を行うことができる。
【００８５】
また、回転体５が右回りの方向に回転するときは、図１０（ａ）に表した例と同様に第２の紐状体６ｂのみが緊張状態となり、第２の弁４１ｂのみが開く。これにより、第２の給水動作が実現する。
【００８６】
なお、図１０（ｂ）に表した例において回転体５が左回りに回転するときに、第１の紐状体６ａが緊張状態になるタイミングと、第３の紐状体６ｃが緊張状態になるタイミングと、を異ならせるようにそれぞれの紐状体を設けることにより、回転体５が左回りに回転したときにまず第１の弁４１ａ及び第２の弁４１ｂのいずれかが開き、その後これら両方の弁が開くようにすることができる。かかる構成は、それぞれの紐状体の長さを適宜調節することにより実現される。例えば、第１の紐状体６ａの方が先に緊張状態になるように紐状体６ａ、６ｃの長さを設定すれば、回転体５が左回りに回転したときに、まず第１の弁４１ａのみが開き、その後第１の弁４１ａ及び第２の弁４１ｂの両方が開くことになる。このような動作は洗浄時のみならずリフィル時にも用いることができ、これにより例えば図１４に関して後述する制御が可能となる。すなわち、リフィルに係る第２の給水動作において、第２の弁４１ｂのみを開状態とする他、第１の弁４１ａのみを開状態としたり、第１及び第２の弁４１ａ、４１ｂの両方を開状態とする構成にすることができる。
【００８７】
このように第１の弁４１ａと第２の弁４１ｂとを設けることにより、精度よく効果的に洗浄及びリフィルの二種類の給水動作を行うことができる。例えば、洗浄時には流路断面積の大きい第１の弁４１ａを用いることにより、洗浄に適した大きな流量で水が供給される。これにより、速やかに便器を洗浄することができる。また、リフィル時には流路断面積の小さい第２の弁４１ｂを用いることにより、小さな流量で水が供給され、ばらつきの少ない量で水が供給される。これにより、無駄水を抑制することができる。
【００８８】
図１１に表したように、第１及び第２の給水口３ａ、３ｂは、それぞれサイホンジェット式水洗便器１００のジェット孔２３及びリム孔２２に供給される水を通すように設けることができる。すなわち、便器１００は、第１の給水口３ａと連通する第１の給水路２１ａと、第２の給水口３ｂと連通する第２の給水路２１ｂと、を有し、第１の給水路２１ａはジェット孔２３に供給される水を通すように設け、第２の給水路２１ｂはリム孔２２に供給される水を通すように設けることができる。
【００８９】
リム孔２２は、便器１００のリム部に設けられ、ボウル部に向けて開口しており、便器の封水を形成するための水やボウル面の洗浄のための水を通す。また、ジェット孔２３は、ボウル部の下流に連なるトラップ部の下流に向けて開口しており、サイホン現象を促進するための水を通す。なお、リム孔は、洗浄水を、ボウル部の上部開口の周縁に形成したリム部の、ボウル部内に面したリム部内側壁面に沿うように吐出する開口孔であってもよい。
【００９０】
また、図示しないが、第１及び第２の給水口３ａ、３ｂは、それぞれ大流量リム給水口及び小流量リム給水口に連通する構成にしてもよい。この場合、大流量リム給水でサイホンを発生させ、小流量リム給水ではサイホンを発生させないようにすることができる。
【００９１】
図１３及び図１４は、トイレ装置１Ｃを用いた場合の制御部Ｃの制御態様を例示する模式グラフ図である。横軸は時間を表し、縦軸は第１の弁４１ａの開度、第２の弁４１ｂの開度、または第１の弁４１ａの開度及び第２の弁４１ｂの開度の合計を表している。
【００９２】
図１３に表したように、制御部Ｃは、第１の給水動作における給水量に応じて、第２の給水動作において給水時間を制御することができる。各洗浄モードにおける給水時間は、図６に関して前述した要領で決定することができる。また、図示しないが、図７に関して前述した要領で第２の弁４１ｂの開度を調節する構成にしてもよい。
【００９３】
また、図１４に表したように、第２の給水動作において、用いる弁を選択することにより給水量を調節してもよい。  
すなわち、図１４（ａ）に表したように、小洗浄の場合には、第２の給水動作において給水するときの流速が高いため、流路断面積が小さい第２の弁４１ｂのみを開状態にして給水することができる。
【００９４】
また、図１４（ｂ）に表したように、中洗浄の場合には、第２の給水動作において給水するときの流速が小洗浄時に比べて低いため、流路断面積が第２の弁４１ｂよりも大きい第１の弁４１ａを開状態にして給水することができる。  
また、図１４（ｃ）に表したように、大洗浄の場合には、第２の給水動作において給水するときの流速がさらに低くなるため、流路断面積がさらに大きくなるように第１の弁４１ａ及び第２の弁４１ｂの両方を開状態にして給水することができる。
【００９５】
これらにより、いずれの洗浄モードにおいても適切な量でリフィル水を供給することができる。かかる制御は、例えば図１０（ｂ）に関して前述したトイレ装置１Ｃを用いることにより可能となる。
【００９６】
次に、本実施形態のさらに別の構成について、図１５〜図１７を参照しつつ説明する。
図１５は、本実施形態のさらに別の構成に係るトイレ装置１Ｄを例示する模式斜視断面図である。  
図１６は、トイレ装置１Ｄの給水口３及び給水量調節部４を例示する、図１５のＺＹ平面での模式断面図である。  
図１７は、回転体５、紐状体６ａ、６ｂ、及び弁４１ａ、４１ｂの動作を例示する模式断面図である。
【００９７】
図１５及び図１６に表したように、トイレ装置１Ｄの給水量調節部４は、給水口３の少なくとも一部を開閉する第１の弁４１ａ及び第２の弁４１ｂを有する。また、第２の弁４１ｂは、第１の弁４１ａの上に設けられている。すなわち、第１の弁４１ａ及び第２の弁４１ｂは、親子弁の形態を有する。親子弁を用いることにより、タンク２のサイズが小さい場合にも２つの弁を設けることができ、前述したトイレ装置１Ｃと同様に精度よく効果的に洗浄及びリフィルの二種類の給水動作を行うことができる。
【００９８】
ここで、第１の弁４１ａは、第１及び第２の弁４１ａ、４１ｂが閉じた状態から第１の弁４１ａが開くときに第２の弁４１ｂを押動して開けるように設けられている。つまり、第１の弁４１ａが開くとき、第２の弁４１ｂは連動する。この結果、給水口３には相対的に大きい第１の開口が形成される。換言すれば、給水口３は相対的に大きい第１の開口面積を有する。また、第１及び第２の弁４１ａ、４１ｂが閉じた状態から第２の弁４１ｂを開くと、第１の弁４１ａは閉じたまま第２の弁４１ｂのみが開く。この結果、給水口３には相対的に小さい第２の開口が形成される。換言すれば、給水口３は相対的に小さい第２の開口面積を有する。すなわち、第１の弁４１ａは給水口３の全部を開閉し、第２の弁４１ｂは給水口３の一部を開閉する。
【００９９】
図１６（ａ）に表したように、給水口３は１つの給水口とすることができる。この場合、構造が簡素になり、費用の低減が図られる。  
また、図１６（ｂ）に表したように、給水口３は２つの給水口とすることができる。図では、外側に例えば洗浄水を通す第１の給水口３ａが存在し、内側に例えばリフィル水を通す第２の給水口３ｂが存在する。第１の弁４１ａは、第２の給水口３ｂに連通する開口を有し、第２の弁４１ｂはこの開口を開閉する。なお、前述したように第１の給水口３ａが開状態となって洗浄水が供給されるときは第２の給水口３ｂも開状態となるため、第２の給水口３ｂは洗浄水を通す機能も有する。また、第１の給水口３ａは洗浄水のみならずリフィル水をも通す構成にしてもよい。リフィル量を多く必要とする場合などには、流路断面積の大きい第１の給水口３ａを活用することにより、速やかに封水を充填することができる。
【０１００】
図１６（ｂ）に表した例では、給水口３ａ、３ｂは略同心円の形状を有する。あるいは、図示しないが、これら給水口の中心が異なってもよい。すなわち、第２の給水口３ｂの中心は、第１の給水口３ａの中心に対して偏芯していてもよい。  
第１及び第２の給水口３ａ、３ｂは、前述したトイレ装置１Ｃと同様に、例えばそれぞれサイホンジェット式水洗便器のジェット孔及びリム孔に供給される水を通すように設けることができる（図１１参照）。
【０１０１】
図１５に表したように、回転体５は、第１の接続部５１ａと、第２の接続部５１ｂと、を有する。第１の弁４１ａ及び第２の弁４１ｂは、それぞれ紐状体６ａ及び６ｂ、並びに接続部５１ａ及び５１ｂを介し、さらに駆動部Ｄを介して制御部Ｃに接続しており、第１及び第２の弁４１ａ、４１ｂの動作は制御部Ｃによって制御される。
【０１０２】
そして、制御部Ｃは、第１の弁４１ａを開いて第１の給水動作を行わせ、その後第２の弁４１ｂを開いて第２の給水動作を行わせる。制御部Ｃの制御を受け、回転体５は、回転により第２の弁４１ｂを開閉することができる。また、回転体５は、回転により第１の弁４１ａ及び第２の弁４１ｂを開閉することができる。上述した押動動作により、第１の弁４１ａが開いているときは第２の弁４１ｂも開くことになる。
【０１０３】
以下、回転体５、紐状体６ａ、６ｂ、及び弁４１ａ、４１ｂの動作について説明する。
図１７（ａ）に表したように、接続部５１ａ及び５１ｂがＺ軸方向（略鉛直方向）においてそれぞれ範囲Ｒａ及び範囲Ｒｂの位置にあるとき（例えば、両者が略同一の位置にあるとき）にそれぞれ紐状体６ａ及び６ｂが弛緩状態になるように、紐状体６ａ、６ｂが設けられている。
【０１０４】
また、図１７（ｂ）に表したように、第１の接続部５１ａがＺ軸正側に移動して範囲Ｒａから逸脱すると第１の紐状体６ａが第１の弁４１ａ（及び押動動作により第２の弁４１ｂ）を開放できる程度に緊張するように、第１の紐状体６ａが設けられている。  
また、図１７（ｃ）に表したように、第２の接続部５１ｂがＺ軸正側に移動して範囲Ｒｂから逸脱すると第２の紐状体６ｂが第２の弁４１ｂを開放できる程度に緊張するように、第２の紐状体６ｂが設けられている。
【０１０５】
範囲Ｒａ及びＲｂは、同じ値でもよく、異なる値でもよい。これら値は、紐状体６ａ及び６ｂが弛緩する状態（平常時）、少なくとも第１の紐状体６ａが緊張する状態（洗浄時など）、及び第２の紐状体６ｂのみが緊張する状態（リフィル時など）の全てを発現し得る限りにおいて任意の値に設定することができる。  
このように構成することにより、回転体５は、第１及び第２の弁４１ａ、４１ｂが閉じた状態においてＹ軸負側から見て左回りの方向に回転すると第１及び第２の弁４１ａ、４１ｂを開け（図１７（ｂ））、第１及び第２の弁４１ａ、４１ｂが閉じた状態においてＹ軸負側から見て右回りの方向に回転すると第２の弁４１ｂのみを開けることができる（図１７（ｃ））。
【０１０６】
トイレ装置１Ｄを用いた場合の制御部Ｃの制御態様としては、例えば図１３に関して前述したのと同様の制御態様が挙げられる。すなわち、第１の給水動作における給水量に応じて、第２の弁４１ｂの開放時間を調節することができる。また、図７に関して前述した要領で第２の弁４１ｂの開度を調節する構成にしてもよい。
【０１０７】
また、図１４に関して前述した要領で、使用する弁を選択することにより給水量を調節する構成にしてもよい。但し、親子弁を用いた場合における弁の選択の態様としては、第２の弁４１ｂのみを開ける場合（図１４（ａ））と、第１及び第２の弁４１ａ、４１ｂの両方を開ける場合（図１４（ｃ））と、の２つのみであるため、この構成は、例えば大洗浄及び小洗浄の２つの洗浄モードに対して適用することができる。
【０１０８】
次に、リフィル時にジェット孔から空気が押し出されることによる音の発生を抑制する制御態様について、図１８を参照しつつ説明する。  
図１８は、リフィル時の空気押し出しによる音の発生を抑制する制御態様について説明するための模式断面図である。図１８（ａ）は通常の洗浄時の直前の状態、すなわち第１の給水動作が行われる直前の状態を表している。また、図１８（ｂ）はリフィル時の直前の状態、すなわち第２の給水動作が行われる直前の状態を表している。また、図において矢印Ｅ、Ｅ１、及びＥ２は空気の流れを表し、矢印Ｆ、Ｆ１、及びＦ２は水の流れを表している。
【０１０９】
この例では、便器１００にサイホンジェット式水洗便器を用いている。便器１００はリム孔２２と、ジェット孔２３と、給水流路２１と、を有し、給水流路２１は給水口３、リム孔２２、及びジェット孔２３に連通している。このような構成の場合、次に説明するようにリフィル時にジェット孔２３から空気が押し出され、これに伴い音が発生する可能性がある。
【０１１０】
まず、図１８（ａ）に表したように、通常洗浄時の直前では、便器１００に十分な水が存在している。従って、給水流路２１における水位は高く、給水流路２１において空気が存在する領域（空気だまり３００）はリム孔２２の周辺にのみ存在する。このため、かかる状態において給水口３から洗浄水が給水流路２１に供給されると、矢印Ｅで示したように空気はほぼリム孔２２から抜けることになる。
【０１１１】
一方、図１８（ｂ）に表したように、リフィル時の直前では、洗浄時に発生させたサイホンにより便器１００内に存在する水は少なく、封水が存在しない。従って、給水流路２１における水位は低く、給水流路２１において空気だまり３００はリム孔２２周辺からジェット孔２３周辺に至るまで広い範囲に存在する。このため、かかる状態において給水口３からリフィル水が給水流路２１に供給されると、空気は矢印Ｅ１で示したようにリム孔２２から抜けるだけでなく、矢印Ｅ２で示したようにジェット孔２３からも抜ける可能性がある。すなわち、矢印Ｆ１で示したようにリフィル用の水が給水流路２１内の空気の一部を下方に押し出し、この結果矢印Ｅ２で示したように空気が給水流路２１の下部を通りジェット孔２３から抜ける可能性がある。このように空気がジェット孔２３から抜けることにより、音が発生する可能性がある（「ボコ」という音など）。
【０１１２】
このため、制御部Ｃは、第２の給水動作において給水流路２１に存在する空気がジェット孔２３から排出されないように給水させることができる。例えば、第２の給水動作における流量は、第１の給水動作における流量よりも小さくすることができる。また、第２の給水動作における給水時間は、第１の給水動作における給水時間よりも長くすることができる。このように、瞬間流量を小さくしてリフィルすることで、空気音の発生を抑制することができる。また、このような制御を行うことにより、瞬間流量を小さくして長い時間をかけて封水を充填することができ、これによりリフィル時の給水量のばらつきを小さくすることができるという効果も得られる。
【０１１３】
なお、第２の給水動作の給水量（リフィル量）を制御する方法としては、前述した給水時間を調節する方法、弁４１の開度を調節する方法、給水口３の面積を調節する方法などの他、例えば次に示した方法を用いることができ、また前述した方法及び次に説明する方法のうちいくつかを組み合わせてもよい。
【０１１４】
まず、初期水位を調節することによりリフィル量を制御する方法について、図１９を参照しつつ説明する。  
図１９は、リフィル量を制御する他の方法を例示する模式断面図である。図１９（ａ）はリフィル量が大きい場合の模式断面図であり、図１９（ｂ）はリフィル量が中程度の場合の模式断面図であり、図１９（ｃ）はリフィル量が小さい場合の模式断面図である。
【０１１５】
図１９に表したように、この方法で用いるタンク２は、その内部を区分する壁２ａ及び２ｂを有する。この２つの壁により、タンク２は３つの空間に区分される。また、壁２ａには弁４３が設けられ、壁２ｂには弁４４が設けられている。また、弁４１は、壁２ａで区分される空間のいずれか１つを形成するタンク２の底面に設けられている。
【０１１６】
この方法では、タンク２内の水Ｗの初期水位Ｈを調節することにより瞬間流量を調節し、これによりリフィル量を制御する。この場合、リフィル量が異なっても、弁４１が開状態となる時間を一定（略同一）にすることができる。
【０１１７】
まず、図１９（ａ）に表したように、リフィル量を大きくする場合は、初期において弁４３及び弁４４を閉じることができる。この状態で、弁４１に接する空間Ｋ１には水Ｗが充填され、その水位は相対的に高い「Ｈ１」である。また、タンク２内の空間であって弁４１に接しない空間Ｋ２及びＫ３には、水Ｗは存在しない。  
かかる状況において弁４１を開くと、タンク２内の水位Ｈ１が相対的に高いため、給水口３における瞬間流量は相対的に大きい。このため、給水を一定時間（Ｔ０）行った場合に、リフィル量を大きくすることができる。
【０１１８】
次に、図１９（ｂ）に表したように、リフィル量を中程度にする場合は、初期において弁４３を開き、弁４４を閉じることができる。そして、水Ｗの量は、図１９（ａ）に表した場合と同じである。この場合、弁４３が開状態であり弁４４が閉状態であるため、水Ｗは壁２ａにより区分された空間の両方（空間Ｋ１及びＫ２）に存在する。このため、水Ｗが存在する空間の水平面積は図１９（ａ）に表した場合よりも大きい。この結果、水Ｗの水位はＨ１よりも低い「Ｈ２」となる。  
かかる状況において弁４１を開くと、タンク２内の水位Ｈ２はＨ１よりも低いため、給水口３における瞬間流量は図１９（ａ）に表した場合よりも小さい。このため、給水を同じ時間Ｔ０行った場合に、リフィル量を中程度にすることができる。
【０１１９】
次に、図１９（ｃ）に表したように、リフィル量を小さくする場合は、初期において弁４３及び弁４４を開くことができる。そして、水Ｗの量は、図１９（ｂ）に表した場合と同じである。この場合、弁４３及び弁４４が開状態であるため、水Ｗはタンク２の全ての空間（空間Ｋ１、Ｋ２、及びＫ３）に存在する。このため、水Ｗが存在する空間の水平面積はさらに大きくなる。この結果、水Ｗの水位はさらに低い「Ｈ３」となる。  
かかる状況において弁４１を開くと、タンク２内の水位Ｈ３はさらに低いため、給水口３における瞬間流量はさらに小さくなる。このため、給水を同じ時間Ｔ０行った場合に、リフィル量を小さくすることができる。  
このように、初期水位を調節することにより、リフィル量を制御することができる。
【０１２０】
次に、給水口３の高さを調節することによりリフィル量を制御する方法について、図２０を参照しつつ説明する。  
図２０は、リフィル量を制御するさらに別の方法を例示する模式断面図である。図２０（ａ）はリフィル量が大きい場合の模式断面図であり、図２０（ｂ）はリフィル量が中程度の場合の模式断面図であり、図２０（ｃ）はリフィル量が小さい場合の模式断面図である。
【０１２１】
図２０に表したように、この方法で用いる給水量調節部４は、給水口３ｃ、３ｄ、３ｅをそれぞれ開閉する弁４１ｃ、４１ｄ、４１ｅを有する。また、給水口３ｄの上端部は給水口３ｃの上端部よりも高く、給水口３ｅの上端部は給水口３ｄの上端部よりも高い。閉じた状態で、弁４１ｃ、４１ｄ、４１ｅの高さは、それぞれタンク２の底面を基準として、ゼロ。Ｈｄ、Ｈｅである。  
この方法では、給水口３の高さを調節することにより瞬間流量を調節し、これによりリフィル量を制御する。この場合、リフィル量が異なっても、第２の給水動作の時間を一定（略同一）にすることができる。
【０１２２】
まず、図２０（ａ）に表したように、リフィル量を大きくする場合は、弁４１ｃを開き、他の弁は閉じたままとすることができる。この場合、給水口３ｃから流れる水の水位は相対的に高い「Ｈ１」である。この結果、給水口３ｃにおける瞬間流量は相対的に大きくなる。従って、給水を一定時間（Ｔ０）行った場合に、リフィル量を大きくすることができる。
【０１２３】
次に、図２０（ｂ）に表したように、リフィル量を中程度にする場合は、弁４１ｄを開き、他の弁は閉じたままとすることができる。この場合、給水口３ｄから流れる水の水位Ｈ２は、（Ｈ１−Ｈｄ）となり、図２０（ａ）に示したＨ１よりも低い。この結果、給水口３ｄにおける瞬間流量は図２０（ａ）に表した場合よりも小さくなる。従って、給水を一定時間Ｔ０行った場合に、リフィル量を中程度にすることができる。
【０１２４】
次に、図２０（ｃ）に表したように、リフィル量を小さくする場合は、弁４１ｅを開き、他の弁は閉じたままとすることができる。この場合、給水口３ｅから流れる水の水位Ｈ３は、（Ｈ１−Ｈｅ）となり、図２０（ｂ）に示した（Ｈ１−Ｈｄ）よりもさらに低い。この結果、給水口３ｅにおける瞬間流量はさらに小さくなる。従って、給水を一定時間Ｔ０行った場合に、リフィル量を小さくすることができる。  
このように、給水口３の高さを調節することにより、リフィル量を制御することができる。
【０１２５】
次に、浮玉（フロート）を用いてリフィル量を制御する方法について、図２１〜図２３を参照しつつ説明する。  
図２１〜図２３は、リフィル量を制御するさらに別の方法を例示する模式断面図である。図２１はリフィル量が大きい場合の模式断面図であり、図２２はリフィル量が中程度の場合の模式断面図であり、図２３はリフィル量が小さい場合の模式断面図である。
【０１２６】
図２１〜図２３に表したように、この方法では、給水量調節部４は、給水口３を開閉する弁４１ｆ、４１ｇ、４１ｈを有する。弁４１ｇは弁４１ｆの上に設けられ、弁４１ｈは弁４１ｇの上に設けられている。そして、弁４１ｆは、弁４１ｇ及び弁４１ｈが閉じた状態から弁４１ｆが開くときに弁４１ｇ及び弁４１ｈを押動して開けるように設けられている。また、弁４１ｇは、弁４１ｈが閉じた状態から弁４１ｇが開くときに弁４１ｈを押動して開けるように設けられている。また、弁４１ｆは開口を有し、弁４１ｆが閉じた状態で弁４１ｇが開くと、タンク２から給水口３を介して給水が行われる。また、弁４１ｇも開口を有し、弁４１ｇが閉じた状態で弁４１ｈが開くと、タンク２から給水口３を介して給水が行われる。
【０１２７】
また、弁４１ｆ、４１ｇ、４１ｈにはそれぞれ紐状体６ｆ、６ｇ、６ｈを介して浮玉７ｆ、７ｇ、７ｈが接続している。そして、弁４１ｇから浮玉７ｇまでの距離Ｌ２は、弁４１ｆから浮玉７ｆまでの距離Ｌ１よりも大きく、弁４１ｈから浮玉７ｈまでの距離Ｌ３は、弁４１ｇから浮玉７ｇまでの距離Ｌ２よりも大きい。  
この方法では、複数の弁に対してそれぞれ浮玉を当該弁からの距離が異なるように設け、これにより弁が開いている時間を調節することにより、リフィル量を制御する。
【０１２８】
まず、図２１（ａ）の矢印Ｘで示すように、リフィル量を大きくする場合は、弁４１ｆを開くことができる。すると、図２１（ｂ）に表したように、弁４１ｆは浮玉７ｆの作用により浮き上がる。この場合、水Ｗの水面から弁４１ｆまでの距離はＬ１となる。そして、水位の低下とともに弁４１ｆは浮玉７ｆとともに下降する。そして、図２１（ｃ）に表したように、水位が（Ｌ１＋弁４１ｆの厚さ）となった時点で弁４１ｆは閉止し、第２の給水動作が終了する。以下、弁４１ｆ、４１ｇ、及び４１ｈの厚さが距離Ｌ１、Ｌ２、及びＬ３と比べて十分小さく、無視できるものとする。このため、水位がＬ１となった時点で弁４１ｆは閉止する。すなわち、図示したように、水位は初期水位をＨ０として（Ｈ０−Ｌ１）だけ下降する。Ｌ１はＬ２及びＬ３に比べて相対的に小さい値であるため。（Ｈ０−Ｌ１）は相対的に大きい値となる。このため、給水量は相対的に大きくなり、リフィル量を大きくすることができる。
【０１２９】
次に、図２２（ａ）の矢印Ｙで示すように、リフィル量を中程度とする場合は、弁４１ｇを開くことができる。すると、図２２（ｂ）に表したように、弁４１ｇは浮玉７ｇの作用により浮き上がる。このとき、弁４１ｆは閉じたままとなる。この場合、水Ｗの水面から弁４１ｇまでの距離はＬ２となる。そして、水位の低下とともに弁４１ｇは浮玉７ｇとともに下降する。そして、図２２（ｃ）に表したように、水位がＬ２となった時点で弁４１ｇは閉止し、第２の給水動作が終了する。すなわち、図示したように、水位は（Ｈ０−Ｌ２）だけ下降する。Ｌ２はＬ１よりも大きい値であるため、（Ｈ０−Ｌ２）は図２１（ｃ）に示した水位変化量（Ｈ０−Ｌ１）よりも小さい値となる。このため、給水量は図２１に表した場合よりも小さくなり、リフィル量を中程度とすることができる。
【０１３０】
次に、図２３（ａ）の矢印Ｚで示すように、リフィル量を小さくする場合は、弁４１ｈを開くことができる。すると、図２３（ｂ）に表したように、弁４１ｈは浮玉７ｈの作用により浮き上がる。このとき、弁４１ｆ及び弁４１ｇは閉じたままとなる。この場合、水Ｗの水面から弁４１ｈまでの距離はＬ３となる。そして、水位の低下とともに弁４１ｈは浮玉７ｈとともに下降する。そして、図２３（ｃ）に表したように、水位がＬ３となった時点で弁４１ｈは閉止し、第２の給水動作が終了する。すなわち、図示したように、水位は（Ｈ０−Ｌ３）だけ下降する。Ｌ３はＬ２よりもさらに大きい値であるため、（Ｈ０−Ｌ３）は図２２（ｃ）に示した水位変化量（Ｈ０−Ｌ２）よりもさらに小さい値となる。このため、給水量はさらに小さくなり、リフィル量を小さくすることができる。  
このように、浮玉（フロート）を用いることにより、リフィル量を制御することができる。
【０１３１】
次に、給水口３の高さを調節し、弁４１の開いている時間を十分長くすることによりリフィル量を制御する方法について、図２４〜図２６を参照しつつ説明する。  
図２４〜図２６は、リフィル量を制御するさらに別の方法を例示する模式断面図である。図２４はリフィル量が大きい場合の模式断面図であり、図２５はリフィル量が中程度の場合の模式断面図であり、図２６はリフィル量が小さい場合の模式断面図である。
【０１３２】
図２４〜図２６に表したように、この方法で用いる給水量調節部４は、給水口３ｃ、３ｄ、３ｅをそれぞれ開閉する弁４１ｃ、４１ｄ、４１ｅを有する。また、給水口３ｄの上端部は給水口３ｃの上端部よりも高く、給水口３ｅの上端部は給水口３ｄの上端部よりも高い。閉じた状態で、弁４１ｃ、４１ｄ、４１ｅの高さは、それぞれタンク２の底面を基準として、ゼロ、Ｈｄ、Ｈｅである。  
この方法では、給水口３の高さを調節し、且つ、弁４１の開いている時間を十分長くすることによりリフィル量を制御する。
【０１３３】
まず、図２４（ａ）に表したように、リフィル量を大きくする場合は、弁４１ｃを開き、他の弁は閉じたままとすることができる。そして、弁４１ｃの開いている時間を十分長くする。すると、図２４（ｂ）に表したように、水Ｗは水位がタンク２の底面に達するまで流れる。すなわち、水Ｗは全部流れる。水位の変化量は、初期水位のＨ０と同じ値となる。このため、給水量は相対的に大きくなり、リフィル量を大きくすることができる。
【０１３４】
次に、図２５（ａ）に表したように、リフィル量を中程度とする場合は、弁４１ｄを開き、他の弁は閉じたままとすることができる。そして、弁４１ｄの開いている時間を十分長くする。すると、図２５（ｂ）に表したように、水Ｗは水位がＨｄとなるまで流れる。水位の変化量は、（Ｈ０−Ｈｄ）となる。この値は図２４（ｂ）で示した変化量Ｈ０よりも小さい。このため、給水量は図２４に表した場合よりも小さくなり、リフィル量を中程度とすることができる。
【０１３５】
次に、図２６（ａ）に表したように、リフィル量を小さくする場合は、弁４１ｅを開き、他の弁は閉じたままとすることができる。そして、弁４１ｅの開いている時間を十分長くする。すると、図２６（ｂ）に表したように、水Ｗは水位がＨｅとなるまで流れる。水位の変化量は、（Ｈ０−Ｈｅ）となる。この値は図２５（ｂ）で示した変化量（Ｈ０−Ｈｄ）よりもさらに小さい。このため、給水量はさらに小さくなり、リフィル量を小さくすることができる。  
このように、給水口３の高さを調節し、弁４１の開いている時間を十分長くすることにより、リフィル量を制御することができる。
【０１３６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズ、動作などは、例示したものに限定されるわけではなく適宜変更することができる。  
例えば、回転体５の回転に伴う動作の態様は、上記に限られず、例えば紐状体６の接続などを変更した上で上記で「右回り」と「左回り」とを逆にしてもよい。
【０１３７】
また、回転体５は、図２７に表した構成にしてもよい。
図２７は、回転体５を例示する模式断面図である。
回転体５は、図２７に表したように、ラック・アンド・ピニオンを用いた構成にしてもよく、かかる構成も本実施形態に含まれる。この場合、回転体５において、ラック・アンド・ピニオンの作用により回転駆動が上下方向などの直線方向の駆動へと変換される。このような構成にしても、本実施形態の効果が発現される。
【０１３８】
また、これまで主に第２の給水動作の制御について説明してきたが、第１の給水動作についても、第２の給水動作と同様に給水時間や、弁の開度など給水流路の断面積を調節することにより、大洗浄、中洗浄、小洗浄等の各種洗浄モードを実現することができる。  
さらに、前述した各実施の形態が備える各要素は、技術的に可能な限りにおいて組み合わせることができ、これらを組み合わせたものも本発明の特徴を含む限り本発明の範囲に包含される。
【符号の説明】
【０１３９】
１、１Ｂ、１Ｃ、１Ｄ  トイレ装置、２  タンク、２ａ、２ｂ  壁、３  給水口、３ａ  第１の給水口、３ｂ  第２の給水口、３ｃ、３ｄ、３ｅ  給水口、４  給水量調節部、５  回転体、５ｐ  突出部、５ｓ  回転軸、６  紐状体、６ａ  第１の紐状体、６ｂ  第２の紐状体、６ｃ  第３の紐状体、６ｆ、６ｇ、６ｈ  紐状体、７ｆ、７ｇ、７ｈ  浮玉、２１  給水流路、２１ａ  第１の給水路、２１ｂ  第２の給水路、２２  リム孔、２３  ジェット孔、４１  弁、４１ａ  第１の弁、４１ｂ  第２の弁、４１ｃ、４１ｄ、４１ｅ、４１ｆ、４１ｇ、４１ｈ  弁、４１ｓ  蝶番、４２  シャッター、４２ｒ  シャッター受け、４３、４４  弁、５１  接続部、５１ａ  第１の接続部、５１ｂ  第２の接続部、１００  便器、２００  トイレ装置、２０１  タンク給水路、２０２  リフィル給水路、３００  空気だまり、Ａ  情報取得部、Ｃ  制御部、Ｄ  駆動部、Ｅ、Ｅ１、Ｅ２  矢印（空気の流れ）、Ｆ、Ｆ１、Ｆ２  矢印（水の流れ）、Ｈ０、Ｈ１、Ｈ２、Ｈ３  水位、Ｈｄ、Ｈｅ  高さ、Ｋ１、Ｋ２、Ｋ３  空間、Ｌ１、Ｌ２、Ｌ３  距離、Ｒ  矢印（駆動部Ｄの回転方向）、Ｒａ、Ｒｂ  範囲、Ｔ  矢印（駆動部Ｄによるトルクの出力の方向）、Ｖ  矢印（弁４１の移動方向）、Ｗ  水、Ｘ、Ｙ、Ｚ  矢印
【図１】
2010209551.tif 000003
【図２】
2010209551.tif 000004
【図３】
2010209551.tif 000005
【図４】
2010209551.tif 000006
【図５】
2010209551.tif 000007
【図６】
2010209551.tif 000008
【図７】
2010209551.tif 000009
【図８】
2010209551.tif 000010
【図９】
2010209551.tif 000011
【図１０】
2010209551.tif 000012
【図１１】
2010209551.tif 000013
【図１２】
2010209551.tif 000014
【図１３】
2010209551.tif 000015
【図１４】
2010209551.tif 000016
【図１５】
2010209551.tif 000017
【図１６】
2010209551.tif 000018
【図１７】
2010209551.tif 000019
【図１８】
2010209551.tif 000020
【図１９】
2010209551.tif 000021
【図２０】
2010209551.tif 000022
【図２１】
2010209551.tif 000023
【図２２】
2010209551.tif 000024
【図２３】
2010209551.tif 000025
【図２４】
2010209551.tif 000026
【図２５】
2010209551.tif 000027
【図２６】
2010209551.tif 000028
【図２７】
2010209551.tif 000029